(57)【特許請求の範囲】
【請求項１】
背表紙に対し表表紙と裏表紙とをヒンジ部を介して回動自在に連結し、かつ締結手段を介して底板を備えた綴り具を取り付けたファイルにおいて、前記背表紙には、綴り具の底板に対応して締結リベットを係止する係止孔部と、締結リベットが貫通分離する開放孔部と、係止孔部と開放孔部を連結する案内溝部とを有する少なくとも１種類の２位置規制手段が設けられ、前記綴り具の底板には、締結リベットを係止する係止孔部と、締結リベットが貫通する開放孔部と、係止孔部と開放孔部とを連結する傾斜面にて構成された案内溝部とを有する少なくとも１種類の２位置規制手段が設けられ、前記締結リベットは、金属製の大径の頭部と、２つのフランジ部を有する金属製のフランジ部材とをカシメにより結合し、頭部およびフランジ部に挟まれた小径の２つの係止部を有し、かつ前記締結リベットが、頭部と一方のフランジ部との間の係止部に台紙の２位置規制手段を係止し、一方のフランジ部と他方のフランジ部との間の係止部に綴り具の底板の２位置規制手段を係止することにより、既設の金属製の綴り具とプラスチック製の綴り具とを背表紙に置換可能としたことを特徴とするファイル。
【発明の詳細な説明】
【０００１】
【発明の属する技術分野】
本発明は、書類等を綴じるファイルに関し、特に綴り具を着脱自在に取り付けるファイルに関する。
【０００２】
【従来の技術】
従来の書類等を綴じるファイルとして、例えばパイプ式ファイルと称される大型のファイルがある。このパイプ式ファイルは、ファイルの台紙と、この台紙の背表紙部分にリベット等を介して底板を取り付けた綴り具とから構成されており、台紙と綴り具とが強固に結合されているため、大容量用のファイルとして広く使用されている。このパイプ式ファイルにおいては、書類等を長期に保存するときも、そのまま使用したファイルにて保存する場合と、新たに保存専用のファイルに書類等を移して保存する場合とがあった。
【０００３】
【発明が解決しようとする課題】
しかしながら、前記した従来のパイプ式ファイルにおいては、その綴り具は書類等の差し替えに最適な設計がされており、その綴り具を差し替え頻度が少ないか、ほとんどない保存において使用することは、資源の有効利用に反していた。また、新たに保存ファイルを利用する場合は、保存ファイル自体は資源の再利用により製造されるものの、書類等の移し替えにより残った元のファイルは、金属製の綴り具も台紙も再利用されることなく廃棄されるという問題点があった。また、台紙の背表紙部分にリベット等を介して綴り具の底板を取り付けており、このパイプ式ファイルを廃棄する際に台紙と綴り具とを分離するためにリベットを取り外さなければならないため、大きな労力を必要とするという問題があった。さらに、パイプ式ファイルの綴り具が破損した場合、このファイルは使用することができず、台紙とともに廃棄していた。
【０００４】
本発明は、前記問題点を解決するためになされたものであり、台紙と綴り具とを容易に分離することができ、綴り具部分が破損した場合は綴り具部分のみを容易に交換することができ、書類等を長期保存する際には金属製の綴り具を取り外し、安価なプラスチック製の綴り具を使用することにより、金属製の綴り具の再利用と古くなった台紙の利用ができるファイルを提供することを目的とする。
【０００５】
【課題を解決するための手段】
前記の目的を達成するため、本発明に係るファイルは、背表紙に対し表表紙と裏表紙とをヒンジ部を介して回動自在に連結し、かつ締結手段を介して底板を備えた綴り具を取り付けたファイルにおいて、前記背表紙には、綴り具の底板に対応して締結リベットを係止する係止孔部と、締結リベットが貫通分離する開放孔部と、係止孔部と開放孔部を連結する案内溝部とを有する少なくとも１種類の２位置規制手段が設けられ、前記綴り具の底板には、締結リベットを係止する係止孔部と、締結リベットが貫通する開放孔部と、係止孔部と開放孔部とを連結する傾斜面にて構成された案内溝部とを有する少なくとも１種類の２位置規制手段が設けられ、前記締結リベットは、金属製の大径の頭部と、２つのフランジ部を有する金属製のフランジ部材とをカシメにより結合し、頭部およびフランジ部に挟まれた小径の２つの係止部を有し、かつ前記締結リベットが、頭部と一方のフランジ部との間の係止部に台紙の２位置規制手段を係止し、一方のフランジ部と他方のフランジ部との間の係止部に綴り具の底板の２位置規制手段を係止することにより、既設の金属製の綴り具とプラスチック製の綴り具とを背表紙に置換可能としたことを特徴とする。
【０００８】
前記のように構成されたファイルによれば、長期保存する場合には金属製の綴り具を取り外し、プラスチック製の綴り具に置換取り付けることができるので、台紙および金属製の綴り具の再利用ができる。
【０００９】
【発明の実施の形態】
発明の実施の形態を図面を参照して説明する。図１（ａ）は本発明に係るファイルの一実施形態の要部正面図、（ｂ）は（ａ）のｂ−ｂ線断面図、（ｃ）は（ａ）のｃ−ｃ線拡大断面図、図２は図１の綴り具の２位置規制手段の拡大斜視図、図３は図２のｄ−ｄ線断面図である。図１〜３において、本発明に係るファイルの台紙１０は、背表紙１２と、その両側にヒンジ部１３、１３を介して回動自在に連結された表表紙１４および裏表紙１５とから構成されており、ファイル２０は、このファイルの台紙１０の背表紙１２に金属製の綴り具が綴り具の底板１６を介して着脱自在に結合されている。なお、綴り具自体は一般的であるので綴り具の底板のみを図示し、細部については省略する。このファイル２０は必要に応じて金属製の綴り具やプラスチック製の綴り具に置換取り付け可能なファイルである。
【００１０】
台紙１０は、図１（ｃ）に示されるように、厚さが数ミリメートルの芯材１０ａの表裏に、表皮部材１０ｂおよび裏皮部材１０ｃが設けてある。表皮部材１０ｂはポリプロピレン等のシートを粘着材や接着剤等を用いて芯材１０ａの表面に貼付したものであり、裏皮部材１０ｃは紙であり、糊等の接着剤を用いて芯材１０ａの裏面に貼付されている。
【００１１】
背表紙１２には、綴り具の底板１６に対応して締結リベット１９を係止する係止孔部２１ａと、締結リベット１９が貫通分離する開放孔部２１ｂと、係止孔部と開放孔部を連結する案内溝部２１ｃとを有する４つの２位置規制手段２１が同心円上に設けてある。また、綴り具の底板１６には、締結リベット１９を係止する係止孔部２２ａと、締結リベット１９が貫通する開放孔部２２ｂと、係止孔部２２ａと開放孔部２２ｂを連結する傾斜面にて構成された案内溝部２２ｃとを有する４つの２位置規制手段２２を設けてある。係止孔部２２ａの周囲は図３に示されるように、綴り具の底板１６の面より高さＨ１だけ隆起しており、案内溝部２２ｃ部分を傾斜面２２ｄとして着脱を可能とする摺動に必要な隆起面とクリアランスによるガタツキを防ぐため連続させている。２位置規制手段２２は係止孔部２２ａが上方に、開放孔部２２ｂが下方に位置するようにそれぞれ平行に並設されている。
【００１２】
締結リベット１９は図３に示されるように、金属製の大径の頭部１９ａと、２つのフランジ部１９ｂ、１９ｃを有する金属製のフランジ部材とをカシメにより結合し、頭部１９ａおよびフランジ部１９ｂ、１９ｃに挟まれた小径の２つの係止部１９ｄ、１９ｅを有するものである。締結リベット１９は、頭部１９ａと一方のフランジ部１９ｂとの間の係止部１９ｄに台紙１０の２位置規制手段２１が係止され、一方のフランジ部１９ｂと他方のフランジ部１９ｃとの間の係止部１９ｅに綴り具の底板１６の２位置規制手段２２が係止されるものである。係止孔部２１ａ、２２ａと案内溝部２２ｃの幅は、締結リベット１９の小径の係止部１９ｄ、１９ｅが通過可能な最小の幅に設定されて係止部が移動可能であり、案内溝部２１ｃは、係止部１９ｄより若干小さく設定され、台紙１０と締結リベット１９とを分離させるときは、狭い案内溝を破壊しながら摺動させる。開放孔部２１ｂ、２２ｂの孔径は、締結リベット１９の大径の頭部１９ａ、フランジ部１９ｂ、フランジ部１９ｃの外径より若干大きく設定され、これらが通過可能である。係止孔部２１ａは締結リベット１９が台紙１０に係止される第１の係止位置に対応し、開放孔部２１ｂは締結リベット１９を取り外すことができる第２の開放位置に対応している。また、係止孔部２２ａは綴り具の底板１６が係止される第１の係止位置に対応し、開放孔部２２ｂは綴り具の底板１６を台紙１０から取り外すことが可能な第２の開放位置に対応している。
【００１３】
台紙１０と綴り具の底板１６とは、締結手段を構成する４つの締結リベット１９と、台紙１０の２位置規制手段２１および綴り具の底板１６の２位置規制手段２２とにより結合されるが、この結合状態を保持する固定手段２３について説明する。固定手段２３は、図１（ｂ）に示されるように、綴り具の底板１６に設けられた位置決め孔２４、２４およびフック部２５、２５と、台紙１０に設けられた位置決め孔２６、２６と、位置決め孔２４、２４、２６、２６に挿入される位置決め突起２７ａ，２７ａとフック部２５、２５に係止される爪部２７ｂ，２７ｂを有するロック片２７とから構成される。ロック片２７はプラスチック等により一体的に形成されており、その爪部２７ｂ，２７ｂがフック部２５、２５に係止されることにより綴り具の底板１６に固定され、位置決め突起２７ａ，２７ａが位置決め孔２４、２４、２６、２６に挿入されることにより、綴り具の底板１６と台紙１０との固定状態を保持するものである。
【００１４】
本願発明のファイルの台紙１０およびこれを用いたファイル２０は、前記したとおり、台紙１０に金属製の綴り具やプラスチック製の綴り具を交換可能に着脱できるものであり、つぎに、主として保存用として使用されるプラスチック製の綴り具について、図４〜８を参照して説明する。図４はプラスチック製の綴り具を台紙に結合したファイルの概略斜視図、図５（ａ）はプラスチック製の綴り具を台紙に結合したファイルの要部正面図、（ｂ）は（ａ）の締結リベットを含む状態のｅ−ｅ線断面図、（ｃ）は（ａ）のｆ−ｆ線断面図、図６は綴り具を分解した状態の斜視図、図７は綴り具の分解した状態の断面図、図８（ａ）は綴り具の２位置規制手段の断面図、（ｂ）は（ａ）のｇ−ｇ線断面図である。
【００１５】
図４に示される綴り具３０は、パイプ式ファイル２０に最初に取り付けてある金属製の通常の綴り具を取り外して付け替えており、ポリプロピレン等のセルフヒンジ機能を有する樹脂より一体に形成された綴り具本体３１と、この綴り具本体を閉じた状態に保持する支持杆３２とから構成されている。綴り具本体３１は図６、７に示されるように、底板３３の両側にヒンジ部３４、３４を介して側板３５、３６が連結されており、一方の側板３５には書類のパンチ孔に挿入される２本の綴り管３７、３７が一体的に形成され、他方の側板３６には綴り管の先端が挿入される孔３８、３８が形成されている。本実施形態では２本の綴り管３７、３７は先端部がテーパ部となっており、これらが挿入される孔３８、３８はテーパ孔となっている。このため、綴り管３７、３７は孔３８、３８により位置決めされるとともに挿入深さが規制される。
【００１６】
綴り管３７、３７のパイプ内部には、支持杆３２が挿入固定される。支持杆３２は２本の脚部３９、３９と、これらの脚部を連結する連結部４０とから構成されるコ字状をしており、脚部３９、３９の根本に膨出部４１、４１が形成されている。支持杆３２は金属等の硬い、断面が角形の材料にて形成されており、綴り管３７、３７の内径に接するか、緩く圧入される程度の断面形状の角形をしており、膨出部４１、４１により綴り管３７、３７の内径の内面に圧入固定されるよう構成されている。
【００１７】
綴り具本体３１の底板３３には、４つの２位置規制手段４２が形成されている。この２位置規制手段４２は、締結リベット１９を係止する係止孔部４２ａと、締結リベット１９が貫通可能である開放孔部４２ｂと、係止孔部４２ａ、開放孔部４２ｂを連結する案内溝部４２ｃとから構成されている。係止孔部４２ａの周囲は図８に示されるように、底板３３の下面より高さＨ２だけ上昇しており、案内溝部４２ｃには締結リベット１９がその上昇面まで案内される傾斜面４２ｄが形成されている。この綴り具３０は主として保存用として使用されるので、前記した固定手段２３に対応する位置決め孔、フック部は形成されていない。なお、前記実施形態と実質的に同等の構成については、同じ参照符号を付して詳細な説明は省略する。
【００１８】
本実施形態は前記した構成であり、以下に、その動作について説明する。ファイル２０の台紙１０より既設の金属製の綴り具を取り外すには、先ず、綴り具の底板１６を固定している固定手段２３のロック片２７を取り外す。すなわち、ロック片２７の上下端部の一方に爪等を引っかけてロック片２７を持ち上げると、一方の爪部２７ｂがフック部２５より外れ、ロック片２７を取り外すことができる。これにより位置決め突起２７ａ，２７ａが位置決め孔２４、２４、２６、２６より離脱し、綴り具の底板１６は台紙１０に対しフリーの状態となるので、綴り具の底板１６を台紙１０に対し上方に移動させる。綴り具の底板１６が上方に移動すると、２位置規制手段２２の第１の係止位置である係止孔部２２ａに位置していた締結リベット１９は案内溝部２２ｃを通過し、第２の開放位置である開放孔部２２ｂに移動する。そして、開放孔部２２ｂから係止部１９ｅを構成するフランジ部１９ｃを通過させ、綴り具の底板１６は台紙１０から容易に取り外すことができる。
【００１９】
締結リベット１９を取り外す場合は、係止孔部２１ａに位置する頭部１９ａとフランジ部１９ｂとの間の係止部１９ｄを、案内溝部２１ｃに沿って移動させることにより、係止部１９ｄを開放孔部２１ｂに対応させ、頭部１９ａを貫通させることにより容易に取り外すことができる。取り外した金属製の綴り具は書類等を綴じる用途に用いたり、別のファイルの綴り具として使用したり、補修用の綴り具として使用することができる。なお、４つの２位置規制手段２１は同心円上にあるので綴り具を右方向に手で回転させれば、一度に４つの締結リベット１９を台紙１０から分離することもできる。また、係止部は４個の場合を例としているが、２個、６個等も可能である。
【００２０】
プラスチック製の綴り具３０を台紙１０に取り付ける場合は、前記した動作と反対の動作を行う。すなわち、台紙１０の２位置規制手段２１により固定されている締結リベット１９を、２位置規制手段４２の第２の開放位置である開放孔部４２ｂに対応させて挿入し、綴り具３０を下方に移動させる。これにより締結リベット１９のフランジ部１９ｃは２位置規制手段４２の案内溝部４２ｃを通過し、傾斜面４２ｄを昇り、第１の係止位置である係止孔部４２ａに移動し、フランジ部１９ｂ、１９ｃにより底板３３を挟持して綴り具３０は台紙１０に係止される。このように、綴り具３０を台紙１０に対して極めて容易に着脱することができ、必要に応じて書類の出し入れの多い場合は金属製の綴り具を使用し、書類の出し入れの少ない場合はプラスチック製の綴り具を使用したりすることができ、また、綴り具３０が破損した場合には容易に交換することができる。そして、綴り具３０の台紙１０への取付は、フランジ部１９ｂ、１９ｃにより綴り具の底板１６や、プラスチック製の綴り具３０の底板３３を挟持する構成により堅固に行われる。
【００２１】
綴り具３０に書類を綴る場合は、綴り具本体３１の側板３６をヒンジ部３４を中心として外側に倒すと支持杆３２が引き出され、支持杆の連結部４０により支持杆３２を綴り具本体３１から取り外す。これにより綴り管３７、３７は図６のように先端が突出し、この部分に書類のパンチ孔を挿通させる。書類を綴り管３７、３７に挿通させた後、綴り管の先端を孔３８、３８に挿入し、支持杆３２の脚部３９、３９を綴り管３７、３７内に挿入して、綴り具３０を閉じた状態とすることにより書類の綴じ込みを容易に行える。
【００２３】
図９（ａ）、（ｂ）はそれぞれ締結リベットの他の実施形態の断面図を示し、同図（ａ）において、締結リベット５３は頭部５３ａを有する部材と、フランジ部材５３ｂの２部材とから構成され、フランジ部材５３ｂは段差部を有し、この段差部が綴り具の底板１６の係止部５３ｅとなり、フランジ部材５３ｂと頭部５３ａとの間が台紙１０の係止部５３ｄとなるように構成されている。また、同図（ｂ）においては、締結リベット５４は１つの部材から構成され、頭部５４ａとフランジ部５４ｂとの間は台紙１０の係止部５４ｄとなり、フランジ部５４ｂ、５４ｃの間は綴り具の底板１６の係止部５４ｅとなっている。この場合は単一の部材のため構造が簡単となるという効果がある。また、締結リベットは金属製に限らず、プラスチック製のリベットを用いるようにしてもよい。
【００２６】
なお、前記した各実施形態では、台紙に設けた２位置規制手段は円弧状に位置させ、綴り具に設けた２位置規制手段は上下方向に位置させた形態について説明したが、２種類の２位置規制手段をそれぞれ反対に構成してもよく、この場合も同様の効果を奏するものである。
【００２７】
【発明の効果】
以上説明したように、本発明によれば、保存用のファイルは、書類等の差し替え頻度が少ないか、ほとんどないのでプラスチック製の安価な綴り具を使用し、使用中のファイルには、書類等の差し替えに適する金属製の綴り具を再利用することができるように、必要に応じて置換取り付けすることができる。
【図面の簡単な説明】
【図１】  （ａ）は本発明に係るファイルの一実施形態の一部破断状態の要部正面図、（ｂ）は（ａ）のｂ−ｂ線断面図、（ｃ）は（ａ）のｃ−ｃ線拡大断面図である。
【図２】  図１の２位置規制手段の要部の斜視図である。
【図３】  図２のｄ−ｄ線断面図である。
【図４】  プラスチック製の綴り具を台紙に結合したファイルの概略斜視図である。
【図５】  （ａ）はプラスチック製の綴り具を台紙に結合したファイルの要部正面図、（ｂ）はｅ−ｅ線断面図、（ｃ）はｆ−ｆ線断面図である。
【図６】  プラスチック製の綴り具の分解した状態の斜視図である。
【図７】  プラスチック製の綴り具の分解した状態の断面図である。
【図８】  （ａ）はプラスチック製の綴り具の２位置規制手段の断面図、（ｂ）は（ａ）のｇ−ｇ線断面図である。
【図９】  （ａ）、（ｂ）はそれぞれ締結リベットの他の実施形態の断面図である。
【符号の説明】
１０    台紙
１０ａ  芯材
１０ｂ  表皮部材
１０ｃ  裏皮部材
１２    背表紙
１３、１３  ヒンジ部
１４    表表紙
１５    裏表紙
１６    綴り具の底板
１８    マーク
１９、５３、５４  締結リベット
１９ａ、５３ａ、５４ａ  頭部
１９ｂ、１９ｃ、５３ｂ、５４ｂ、５４ｃ  フランジ部
１９ｄ、１９ｅ、５３ｄ、５３ｅ、５４ｄ、５４ｅ  係止部
２０    ファイル
２１、２２、４２  ２位置規制手段
２１ａ、２２ａ、４２ａ  係止孔部
２１ｂ、２２ｂ、４２ｂ  開放孔部
２１ｃ、２２ｃ、４２ｃ  案内溝部
２２ｄ、４２ｄ  傾斜面
２３    固定手段
２４、２６  位置決め孔
２５  フック部
２７  ロック片
２７ａ  位置決め突起
２７ｂ  爪部
３０    綴り具
３１    綴り具本体
３２    支持杆
３３    底板
３４    ヒンジ部
３５、３６  側板
３７    綴り管
３８、３８  孔
３９、３９  脚部
４０    連結部
４１、４１  膨出部
【図１】
0004108168.tif 000002
【図２】
0004108168.tif 000003
【図３】
0004108168.tif 000004
【図４】
0004108168.tif 000005
【図５】
0004108168.tif 000006
【図６】
0004108168.tif 000007
【図７】
0004108168.tif 000008
【図８】
0004108168.tif 000009
【図９】
0004108168.tif 000010